(57)【特許請求の範囲】
【請求項１】
所定長さの鎖（１１）と、この鎖（１１）の一端側を着脱自在に結合する錠装置（１２）と、上記鎖（１１）の他端側を結合する取付け部材（３０）とからなり、錠装置（１２）と取付け部材（３０）を扉（ａ）と本体（ｂ）の側面にそれぞれ固定し、鎖（１１）を結合した錠装置（１２）を施錠することにより鎖（１１）で開扉を防ぐようにした窃盗防止装置において、
前記錠装置（１２）が、硬質材料を用いてブロック状に形成した錠本体（１３）と、この錠本体（１３）の内部に組み込んだ錠機構（１４）とを有し、
錠本体（１３）に、該錠本体（１３）の一方側面で開放し、鎖（１１）の端部に位置するリング（１１ａ）の全長が略納まる深さの水平孔（１６）と、錠本体（１３）の一方側面で該水平孔（１６）の開放端部の上下に位置し、鎖（１１）の端部から二番目に位置するリング（１１ｂ）の端部が嵌合する凹溝（１７）と、錠本体（１３）の下面から上方に向かい、上半部の小径孔（１８ｂ）が上記水平孔（１６）と交差し、下半部の大径孔（１８ａ）が錠本体（１３）の下面で開放する錠収納孔（１８）とを設け、
前記錠機構（１４）は、錠収納孔（１８）の大径孔（１８ａ）内に収納され、その外面に設けた軸方向の凹溝（２３）とこの凹溝（２３）に嵌まり合うよう錠本体（１３）に設けたビス（２４）によって、回り止め状で上下動が可能となるケーシング（１９）と、
このケーシング（１９）内に組み込まれ、抜き差し自在となるキー（２０）によって９０°の回転が可能となる錠体（２１）と、
この錠体（２１）の上端に錠体（２１）と一体に回転するよう延長状に設けられ、その下端部に設けた環状溝（２５）と、外面に下端がこの環状溝（２５）と連通するよう設けた軸方向の縦溝（２６）と、前記環状溝（２５）又は縦溝（２６）に嵌り合うよう錠本体（１３）に設けたビス（２７）とによって、小径孔（１８ｂ）内で上下動と回転が可能となり、小径孔（１８ｂ）内を上下動することで、水平孔（１６）に挿入したリング（１１ａ）に対して抜き差しするロックシャフト（２２）とを有し、
前記錠機構（１４）は、錠収納孔（１８）に対する上昇位置で、ケーシング（１９）の全長が錠本体（１３）の内部に没入してキー（２０）による施錠が可能となり、かつ、ロックシャフト（２２）が水平孔（１６）に挿入したリング（１１ａ）を貫通して抜け止め状に保持し、錠収納孔（１８）に対する下降位置で、錠本体（１３）の下面から一部が突出してロックシャフト（２２）が上記リング（１１ａ）から抜けでるようになっていることを特徴とする窃盗防止装置。
【発明の詳細な説明】
【０００１】
【発明の属する技術分野】
この発明は、自動販売機やガレージ、工場等における扉の錠前を破壊しても開扉することができないようにする窃盗防止装置に関する。
【０００２】
【従来の技術】
例えば、自動販売機は、その内部に、販売せんとする商品だけでなく、多額の釣り銭や売り上げ金が収納されているため、夜間や人通りの少ない場所に設置された自動販売機から金品を窃盗する犯罪が近年多発している。この窃盗の手口は、一般的に、扉の錠前を破壊して開扉することによって行われる。
【０００３】
また、自動販売機の内部には、高価な電子制御装置が組み込まれており、金品を目的とした窃盗時にこの電子制御装置が破壊されることが多々あり、金品の窃盗以上に大きな経済的損害を被ることになる。
【０００４】
このような犯罪に対処するため、扉の錠前を破壊しても開扉することができないようにする、自動販売機等の窃盗防止装置がすでに提案されている。
【０００５】
従来の窃盗防止装置は、図１０に示すように、所定長さの鎖１と、この鎖１の一端側を着脱自在に結合する錠装置２と、上記鎖１の他端側を結合した取付け部材３とからなり、自動販売機Ａの扉ａに錠装置２と自動販売機Ａの本体ｂの側面に取付け部材３をそれぞれ固定し、鎖１を結合した錠装置２を施錠することにより鎖１で開扉を防ぐようになっている。
【０００６】
【発明が解決しようとする課題】
ところで、上記従来の窃盗防止装置は、鎖１に直径８ｍｍ程度のステンレス線材を使用したリングをつなぎ合わせたものを用いているが、このようなステンレス線材は、手動式の強力な切断工具を用いることにより切断可能であり、開扉を防ぐには強度的に不十分である。
【０００７】
また、錠装置２は、自動販売機Ａにボルト止めする角型のブロック状に形成した錠本体４の上部に、鎖１の端部リングの一部を抜き差し自在に挿入する挿入孔５を設け、錠本体４の内部に、挿入孔５に挿入したリングに対して係脱するロック軸と、キー操作によりこのロック軸を上下動させる施錠機構を組み込んだ構造になっているため、端部リングの錠本体４から突出する部分にバール等を差し込んでこじるようにすると、自動販売機Ａに対する錠本体４の固定部分に強力な破壊力を集中させることができ、これによって錠本体４の自動販売機Ａに対する固定部分が破壊し、錠本体４の脱落によって開扉が可能になる。
【０００８】
ちなみに、自動販売機Ａの開扉による窃盗の防止を行うには、開扉に３分以上の時間がかかるようにする必要があるといわれている。なぜならば、屋外で３分以上にわたって不審な作業をすることは人目につく危険性が多くなり、窃盗者はこのような危険を侵してまで開扉をしようとしないためであり、上記した従来の窃盗防止装置は、このような条件を満たすことができないものである。
【０００９】
そこで、この発明の課題は、手動式の強力な切断工具でも切断不能な鎖を使用すると共に、錠装置の固定部分を簡単に破壊させることができないようにし、開扉に要する時間を長くすることにより、窃盗者の開扉による窃盗心を消失させることができる窃盗防止装置を提供することにある。
【００１０】
【課題を解決するための手段】
上記のような課題を解決するため、この発明は、所定長さの鎖と、この鎖の一端側を着脱自在に結合する錠装置と、上記鎖の他端側を結合する取付け部材とからなり、錠装置と取付け部材を扉と本体の側面にそれぞれ固定し、鎖を結合した錠装置を施錠することにより鎖で開扉を防ぐようにした窃盗防止装置において、前記錠装置が、硬質材料を用いてブロック状に形成した錠本体と、この錠本体の内部に組み込んだ錠機構とを有し、錠本体に、該錠本体の一方側面で開放し、鎖の端部に位置するリングの全長が略納まる深さの水平孔と、錠本体の一方側面で該水平孔の開放端部の上下に位置し、鎖の端部から二番目に位置するリングの端部が嵌合する凹溝と、錠本体の下面から上方に向かい、上半部の小径孔が上記水平孔と交差し、下半部の大径孔が錠本体の下面で開放する錠収納孔とを設け、前記錠機構は、錠収納孔の大径孔内に収納され、その外面に設けた軸方向の凹溝とこの凹溝に嵌まり合うよう錠本体に設けたビスによって、回り止め状で上下動が可能となるケーシングと、このケーシング内に組み込まれ、抜き差し自在となるキーによって９０°の回転が可能となる錠体と、この錠体の上端に錠体と一体に回転するよう延長状に設けられ、その下端部に設けた環状溝と、外面に下端がこの環状溝と連通するよう設けた軸方向の縦溝と、前記環状溝又は縦溝に嵌り合うよう錠本体に設けたビスとによって、小径孔内で上下動と回転が可能となり、小径孔内を上下動することで、水平孔に挿入したリングに対して抜き差しするロックシャフトとを有し、前記錠機構は、錠収納孔に対する上昇位置で、ケーシングの全長が錠本体の内部に没入してキーによる施錠が可能となり、かつ、ロックシャフトが水平孔に挿入したリングを貫通して抜け止め状に保持し、錠収納孔に対する下降位置で、錠本体の下面から一部が突出してロックシャフトが上記リングから抜けでるようになっている構成を採用したものである。
【００１１】
【発明の実施の形態】
以下、この発明の実施の形態を図示例と共に説明する。
【００１２】
図１に示すように、この発明の窃盗防止装置は、所定長さの鎖１１と、この鎖１１の一端側を着脱自在に結合する錠装置１２と、上記鎖１１の他端側を結合する取付け部材３０とからなり、錠装置１２を自動販売機Ａの扉ａに固定すると共に、取付け部材３０を自動販売機Ａの本体ｂの側面にそれぞれ固定し、鎖１１の端部を錠装置１２に結合して施錠すると、鎖１１は錠装置１２と取付け部材３０の間で弛みのない状態に架け渡され、扉ａの錠前を破壊して開扉しようとしても鎖１１が扉ａを開扉が不能な状態に保持するようになっている。
【００１３】
前記鎖１１は、直径１３ｍｍのステンレス線材を用いた長円状のリングを多数結合して所定の長さに形成され、このような材質と線径の選択により、鎖１１は手動式の強力な切断工具でも切断不能である。
【００１４】
上記錠装置１２は、扉ａに固定する錠本体１３と、この錠本体１３の内部に組み込んだ錠機構１４とを有し、上記錠本体１３は、図２乃至図５に示すように、アルミ合金や各種金属、合成樹脂等の硬質材料を用いて上下に長い略角柱形のブロック状に形成され、前面と上面、両側面、下面の各コーナ部分は円弧面に形成され、外部からの打撃による衝撃を効率よく逃がして緩衝しうる外形に形成され、この錠本体１３の扉に重ねるフラットな背面には、取り付け用のねじ孔１５が複数設けられ、さらに、該錠本体１３には、該錠本体１３の一方側面の上部寄りの位置で開放し、鎖１１の端部に位置するリング１１ａの全長が略納まる深さの水平孔１６と、錠本体１３の一方側面で該水平孔１６の開放端部の上下に位置し、鎖１１の端部から二番目に位置するリング１１ｂの端部が嵌合する凹溝１７と、錠本体１３の下面から上方に向かい上記水平孔１６と交差する錠収納孔１８とが設けられている。
【００１５】
図２（Ａ）乃至（Ｄ）は、錠機構１４を組み込む前の錠本体１３の構造を示し、ちなみに、該錠本体１３は、高さＨが１１６ｍｍ、幅Ｗが７３ｍｍ、奥行きＬが６０ｍｍとなる大きさに形成されている。
【００１６】
前記錠本体１３の錠収納孔１８は、下半部の大径孔１８ａと上半部の小径孔１８ｂの二段に形成され、この錠収納孔１８に組み込まれる錠機構１４は、図３と図４及び図６に示すように、大径孔１８ａ内に上下動が可能となるよう収納された円筒状のケーシング１９と、このケーシング１９内に組み込まれ、抜き差し自在となるキー２０によって９０°の回転が可能となる錠体２１と、該錠体２１の上端に錠体２１と一体に回転するよう延長状に固定され、小径孔１８ｂ内に嵌挿する円軸状のロックシャフト２２とで形成されている。
【００１７】
上記ケーシング１９の外面に軸方向の凹溝２３が形成され、錠本体１３の背面側から螺入したビス２４の先端がこの凹溝２３に嵌まり合い、ケーシング１９は、回り止め状となり、かつ、凹溝２３の範囲内で上下動可能となり、図３の如く、上昇位置でその全長が錠本体１３内に没入し、図４の如く、下降位置で上部を残して錠本体１３の下面に突出することになる。
【００１８】
上記ロックシャフト２２には、下端部に環状溝２５と、下端がこの環状溝２５と連通する軸方向の縦溝２６が設けられ、錠体２１に差し込んだキー２０で錠体２１とこれに一体となるロックシャフト２２を回動させたとき、縦溝２６はケーシング１９の凹溝２３に対して延長状の位置と、該凹溝２３に対して直角の位置との何れかに変位する。
【００１９】
前記ケーシング１９が上昇位置にあるとき、（図３の状態）上記ビス２４の直上位置で錠本体１３の背面側から螺入したビス２７の先端が環状溝２５に係合し、これにより、縦溝２６がケーシング１９の凹溝２３に対して直角の位置にあると、ケーシング１９が上昇位置に保持されて回転と上下動が不可となり、これに対して錠体２１とこれに一体となるロックシャフト２２は、回転可能な状態となり、錠体２１に差し込んだキー２０で錠体２１とこれに一体となるロックシャフト２２を回動させて縦溝２６をケーシング１９の凹溝２３に対して延長状の位置とすれば、この縦溝２６がビス２７に臨み、ケーシング１９の凹溝２３とロックシャフト２２の縦溝２６がビス２４、２７に沿い、キー２０を介して錠体２１とこれに一体となるロックシャフト２２及びケーシング１９を下降位置に引き下げることができる。
【００２０】
なお、錠体２１は図示詳細を略したが、ケーシング１９の上昇位置で縦溝２６がケーシング１９の凹溝２３に対して直角の位置にあるとき、ケーシング１９に対する錠体２１の固定化とキー２０の抜き取りが可能となる施錠状態となり、また、施錠状態でキー２０を挿入すれば開錠し、キー２０を介して錠体２１とこれに一体となるロックシャフト２２の９０°の回動操作が可能となり、かつ、キー２０が開錠状態で抜けないような構造になっている。
【００２１】
このように、施錠状態で錠機構１４が錠本体１３内に納まるようにすれば、錠機構１４の破壊が困難になり、また、開錠時にケーシング１９を錠本体１３の下部に突出状とすれば、錠本体１３から錠機構１４を取り外すことなく、ケーシング１９内の錠体２１の修理や部品の交換が可能になり、便利である。
【００２２】
上記ロックシャフト２２は、例えば直径１８ｍｍ程度のステンレス製であり、強度的に優れていると共に、水平孔１６に挿入したリング１１ａに対して抜き差しするロックシャフト２２は、上昇位置にあるときは、水平孔１６に挿入したリング１１ａを貫通して抜け止め状に保持し、下降位置で上記リング１１ａから抜けでるようになっている。
【００２３】
前記鎖１１の他端側を結合する取付け部材３０は、図７乃至図９に示すように、アルミ合金、各種金属、合成樹脂等の硬質材料を用いて例えば直径９０ｍｍ程度の略半球状に形成され、その中心を貫通する段付き孔３１に頂部側から挿通したボルト３２と、このボルト３２に螺合したナット３４で自動販売機Ａの本体ｂの側面に固定化すると共に、該取付け部材３０には鎖１１の他方端部のリング１１ｃを挿入する横孔３３が段付き孔３１と交差するように設けられ、横孔３３にリング１１ｃを挿入した状態で段付き孔３１にボルト３２を挿入すれば、ボルト３２がリング１１ｃを貫通し、該リング１１ｃが抜け止め状に結合されることになる。
【００２４】
この取付け部材３０は、硬質材料を用いて外面が球面に形成されているので、外部からの打撃による衝撃を有効に逃がすことができ、しかも、一本のボルト３２を用いて固定すると共に、該ボルト３２の頭部３２ａが円軸で端面が取付け部材３０の球面と同一面にすることにより、このボルト３２を外から回しても裏のナット３４は緩むことはなく、取り外しは不可能になると共に、打撃により簡単に脱落させることもできないようになっている。
【００２５】
また、ボルト３２の軸部を鎖１１のリング１１ｃに対して、回り止め効果が得られるようにしておくことにより、鎖１１を掴んでいれば、自動販売機の内部からボルト３２に対してナット３４の締め込みは可能になる。
【００２６】
この発明の窃盗防止装置は上記のような構成であり、例えば、錠装置１２を自動販売機Ａの扉ａに、該扉ａの内面側からのボルトで固定し、取付け部材３０を自動販売機Ａの本体ｂの側面に、上記錠装置１２との間に張設した鎖１１が弛まないような位置関係の配置で固定し、自動販売機Ａの扉ａを閉鎖してその錠前を施錠した状態で、鎖１１の自由側端部のリング１１ａを錠装置１２の水平孔１６に挿入し、キー２０を差し込んで下降位置にした錠機構１４を押し上げて錠本体１３内に没入させ、これをキー２０の操作で９０°回転させて施錠後にキー２０を抜き取れば、ロックシャフト２２が水平孔１６内のリング１１ａを貫通して結合し、錠装置１２に鎖１１が接続されることになる。
【００２７】
この状態で、錠前を破壊して扉を開こうとしても、扉ａと本体ｂの側面間に張設した鎖１１によって開扉を不可能にすることができる。
【００２８】
また、鎖１１は直径１３ｍｍのステンレス線材を用いたリングで形成されているので、強力な手動の切断工具を用いても切断することができない。しかも、錠装置１２は錠本体１３が硬質のブロック状で、外面の各コーナが円弧のアールになっており、打撃によって破壊することが困難になっている。
【００２９】
しかも、鎖１１の端部に位置するリング１１ａは略その全長が水平孔１６内に収まり、端部から二番目に位置するリング１１ｂの端部が凹溝１７内に納まっているので、リング１１ｂにバールを差し込んでこじることにより、錠本体１３の固定部分を扉ａから離脱させようとしても、こじる力を有効に作用させるのが容易ではなく、錠装置１２を扉ａから離脱させることも困難になる。
【００３０】
ここで、自動販売機Ａの扉ａを開いて内部の金品を盗もうとして、窃盗防止装置を破壊しようとしても、破壊が絶対に不可能ではないが、実際の破壊作業には多くの時間がかかることになり、従って、自動販売機Ａにこの発明の窃盗防止装置を取付けておくと、窃盗者は開扉をしようとする気持ちが失せ、金品の窃盗を未然に防止することができる。
【００３１】
なお、この発明の窃盗防止装置は、図示及び実施の形態では自動販売機に使用したが、例えば、ガレージや工場の扉に対しても、安全向上のために使用することができる。
【００３２】
【発明の効果】
以上のように、この発明によると、錠本体の形状と鎖の接続構造により、錠装置を扉から離脱させることが困難になり、かつ、鎖の切断も容易にできないので、錠装置を破壊しようとした場合、作業に多くの時間がかかることになり、自動販売機やガレージ、工場の扉にこの発明の窃盗防止装置を取り付けておくと、窃盗者は開扉をしようとする気持ちが失せ、これによって、金品の窃盗や家宅侵入を未然に防止することができ、自動販売機に用いた場合、自動販売機の設置が場所を選ばずに行えるようになる。
【図面の簡単な説明】
【図１】この発明の窃盗防止装置を取り付けた自動販売機の斜視図
【図２】錠本体の錠組み込み前の構造を示し、（Ａ）は錠本体の側面を正面にした正面図、（Ｂ）は同平面図、（Ｃ）は同縦断正面図、（Ｄ）は（Ａ）の矢印ｄ−ｄに沿う同縦断側面図
【図３】錠装置に鎖を結合した施錠状態を示す縦断面図
【図４】錠装置に対して鎖を離脱させた開錠状態を示す縦断面図
【図５】錠装置の底面図
【図６】（Ａ）は錠機構の縦断正面図、（Ｂ）は同平面図
【図７】鎖を結合した取付け部材の正面図
【図８】自動販売機に固定した同上の横断平面図
【図９】同上の縦断側面図
【図１０】従来の窃盗防止装置を取付けた自動販売機の斜視図
【符号の説明】
１１  鎖
１２  錠装置
１３  錠本体
１４  錠機構
１６  水平孔
１７  凹溝
１８  錠収納孔
１９  ケーシング
２０  キー
２１  錠体
２２  ロックシャフト
２３  凹溝
２５  環状溝
２６  縦溝
３０  取付け部材
【図１】
0004272286.tif 000002
【図２】
0004272286.tif 000003
【図３】
0004272286.tif 000004
【図４】
0004272286.tif 000005
【図５】
0004272286.tif 000006
【図６】
0004272286.tif 000007
【図７】
0004272286.tif 000008
【図８】
0004272286.tif 000009
【図９】
0004272286.tif 000010
【図１０】
0004272286.tif 000011